(57)【要約】【課題】複雑な機構がなくとも水に空気を通過させることのできる脱臭装置を提供することを目的とする。【解決手段】脱臭フィルタ７は、水膜２１が形成されるフィルタ濾材２０と、前記フィルタ濾材２０を外周において円筒形状に維持するフィルタ枠１８を有し、前記フィルタ枠１８は、前記円筒形状の中心に位置する回転軸２５と、前記回転軸２５から外周に向けて前記貯留水１９とは接触しない範囲で放射状に延設した複数枚の羽根１１を有し、前記羽根１１は前記空気風路９を流れる気流を受けて前記脱臭フィルタ７を回転させることのできる脱臭装置１を得ることができる。【選択図】図１
2016063888.tif 000002
【特許請求の範囲】
【請求項１】
吸込口と吹出口を設けた本体と、前記本体内には、前記吸込口と吹出口を連通する空気風路と、前記空気風路へ空気を流す送風手段と、前記空気風路に設けた鉛直に回転可能な円筒形状の脱臭フィルタと、前記脱臭フィルタの下部を貯留水と接触させる水槽とを備え、前記脱臭フィルタは、水膜が形成されるフィルタ濾材と、前記フィルタ濾材を外周において円筒形状に維持するフィルタ枠を有し、前記フィルタ枠は、前記円筒形状の中心に位置する回転軸と、前記回転軸から外周に向けて前記貯留水とは接触しない範囲で放射状に延設した複数枚の羽根を有し、前記羽根は前記空気風路を流れる気流を受けて前記脱臭フィルタを回転させる脱臭装置。
【請求項２】
前記空気風路において、前記脱臭フィルタの外周には、流入口、外周壁、流出口、前記水槽をこの脱臭フィルタの回転方向の順に設け、前記外周壁は前記水槽と対向する位置に配置するとともに、前記外周壁は、一つの羽根が前記流入口に達した時に回転方向前側の羽根が前記外周壁の後端部に到達するように設けるとともに、前記空気風路を流れる空気を流入口へ導く案内壁を設けた請求項１記載の脱臭装置。
【請求項３】
前記脱臭フィルタの外周には、流入口、前記水槽、流出口、外周壁をこの脱臭フィルタの回転方向の順に設け、前記外周壁は前記水槽と対向する位置に配置するとともに、前記外周壁は、一つの羽根が前記流入口に達した時に回転方向後ろ側の羽根が前外周壁の内側に位置するように設けた請求項１記載の脱臭装置。
【請求項４】
前記脱臭フィルタの外周には、流入口、前記水槽、流出口、外周壁をこの脱臭フィルタの回転方向の順に設け、前記外周壁は前記水槽と対向する位置に配置するとともに、前記外周壁は、一つの羽根が流出口の下辺に達した時に回転方向後ろ側の羽根が外周壁の内側に位置するように設けた請求項１記載の脱臭装置。
【請求項５】
前記羽根は風上に向かって凹の形を有することを特徴とする請求項２から４のいずれか一つに記載の脱臭装置。
【発明の詳細な説明】
【技術分野】
【０００１】
本発明は、脱臭性能を高めた、空気清浄装置すなわち脱臭装置に関するものである。
【背景技術】
【０００２】
従来の、空気清浄装置の構成は、以下のようになっていた。
【０００３】
すなわち、空気清浄用の水を貯留するタンクと、該タンク内の水を揚水するポンプと、前記ポンプにより揚水された水を所定のメッシュサイズの網板に流下させる水流下器と、該水流下器からの水を前記タンクに戻す水回収機構と清浄される空気を送風するファンとを備えた構成となっていた。
【先行技術文献】
【特許文献】
【０００４】
【特許文献１】特開２００５−１８０８７６号公報
【発明の概要】
【発明が解決しようとする課題】
【０００５】
上記従来の空気清浄装置では、清浄する空気を前記水流下器により水を流下させた網板へ通過させて清浄するため、水を循環させるためのポンプなどの複雑な機構が必要であるという課題があった。そこで本発明は、従来の課題を解決するものであり、複雑な機構がなくとも水に空気を通過させることのできる脱臭装置を提供することを目的とする。
【課題を解決するための手段】
【０００６】
そして、この目的を達成するために、吸込口と吹出口を設けた本体と、前記本体内には、前記吸込口と吹出口を連通する空気風路と、前記空気風路へ空気を流す送風手段と、前記空気風路に設けた鉛直方向に回転可能な円筒形状の脱臭フィルタと、前記脱臭フィルタの下部を貯留水と接触させる水槽とを備え、
前記脱臭フィルタは、水膜が形成されるフィルタ濾材と、前記フィルタ濾材を外周に配置して円筒形状に維持するフィルタ枠を有し、
前記フィルタ枠は、前記円筒形状の中心に位置する回転軸と、前記回転軸から外周に向けて前記水槽貯留水内で接触しない範囲で放射状に延設した複数枚の羽根を有し、前記羽根は前記空気風路を流れる気流を受けて前記脱臭フィルタを回転させるものであり、これにより所期の目的を達成するものである。
【発明の効果】
【０００７】
本発明によれば、吸込口と吹出口を設けた本体と、前記本体内には、前記吸込口と吹出口を連通する空気風路と、前記空気風路へ空気を流す送風手段と、前記空気風路に設けた鉛直方向に回転可能な円筒形状の脱臭フィルタと、前記脱臭フィルタの下部を貯留水と接触させる水槽とを備え、前記脱臭フィルタは、水膜が形成されるフィルタ濾材と、前記フィルタ濾材を外周に配置して円筒形状に維持するフィルタ枠を有し、前記フィルタ枠は、前記円筒形状の中心に位置する回転軸と、前記回転軸から外周に向けて前記水槽内で貯留水に接触しない範囲で放射状に延設した複数枚の羽根を有し、前記羽根は前記空気風路を流れる気流を受けて前記脱臭フィルタを回転させる構成としたことにより、モーター駆動なく、風で脱臭フィルタを回転させることができるため、複雑な機構がなくとも脱臭を行うことができる。
【図面の簡単な説明】
【０００８】
【図１】本発明の実施の形態１の脱臭装置を示す概略断面図
【図２】本発明の実施の形態１の脱臭フィルタ枠を示す概略斜視図
【図３】本発明の実施の形態１の脱臭フィルタ上の水膜と格子を示す概略斜視図
【図４】本発明の実施の形態１の脱臭フィルタ枠を示す概略斜視図
【図５】本発明の実施の形態１の脱臭装置を示す概略断面図
【図６】本発明の実施の形態２の脱臭装置を示す概略断面図
【図７】本発明の実施の形態２の脱臭装置を示す概略断面図
【発明を実施するための形態】
【０００９】
本発明の請求項１記載の脱臭装置は、吸込口と吹出口を設けた本体と、前記本体内には、前記吸込口と吹出口を連通する空気風路と、前記空気風路へ空気を流す送風手段と、前記空気風路に設けた鉛直方向に回転可能な円筒形状の脱臭フィルタと、前記脱臭フィルタの下部を貯留水と接触させる水槽とを備え、前記脱臭フィルタは、水膜が形成されるフィルタ濾材と、前記フィルタ濾材を外周に配置して円筒形状に維持するフィルタ枠を有し、前記フィルタ枠は、前記円筒形状の中心に位置する回転軸と、前記回転軸から外周に向けて前記水槽内で貯留水に接触しない範囲で放射状に延設した複数枚の羽根を有し、前記羽根は前記空気風路を流れる気流を受けて前記脱臭フィルタを回転させる構成を有する。
【００１０】
これにより、送風手段によって、吸込口から吸い込んだ空気を脱臭フィルタに通過させることで、この空気に含まれる臭気成分は水膜を通過して水に溶けこみ、脱臭を行なうことができる。
【００１１】
特に、水槽内で貯留水と接しない範囲で回転軸から羽根を延設することで、送風手段による風で脱臭フィルタを回転させることが可能となるのでフィルタ枠を回転駆動するモーターが必要なくなり、モーター音がなくなることによる静音化や省電力化ができる。また、脱臭装置本体のサイズダウンが可能となる。
【００１２】
また、請求項２記載の脱臭装置は、前記空気風路において、前記脱臭フィルタの外周には、流入口、外周壁、流出口、前記水槽をこの脱臭フィルタの回転方向の順に設け、前記外周壁は前記水槽と対向する位置に配置するとともに、前記外周壁は、一つの羽根が前記流入口に達した時に回転方向前側の羽根が前記外周壁の後端部に到達するように設けるとともに、前記空気風路を流れる空気を流入口へ導く案内壁を設けた構成を有する。
【００１３】
これにより、案内壁と外周壁によって、脱臭フィルタ上部を風が通過することとなり、フィルタ上部において羽根に風を当てることができ、回転の抗力を増加させて、少ない風量でもフィルタを回転させることができる。
【００１４】
また、請求項３記載の脱臭装置は、前記脱臭フィルタの外周には、流入口、前記水槽、流出口、外周壁をこの脱臭フィルタの回転方向の順に設け、前記外周壁は前記水槽と対向する位置に配置するとともに、前記外周壁は、一つの羽根が前記流入口に達した時に回転方向後ろ側の羽根が前記外周壁の内側に位置するように設けた構成を有する。
【００１５】
これにより、水槽と外周壁によって、脱臭フィルタ下部を風が通過することとなり、フィルタ下部において羽根に風を当てることができ、回転の抗力を増加させて、少ない風量でもフィルタを回転させることができる。
【００１６】
また、請求項４記載の脱臭装置は、前記脱臭フィルタの外周には、流入口、前記水槽、流出口、外周壁をこの脱臭フィルタの回転方向の順に設け、前記外周壁は前記水槽と対向する位置に配置するとともに、前記外周壁は、一つの羽根が流出口の下辺に達した時に回転方向後ろ側の羽根が外周壁の内側に位置するように設けた構成を有する。
【００１７】
これにより、水槽と外周壁によって、脱臭フィルタ下部を風が通過することとなり、フィルタ下部において羽根に風を当てることができ、回転の抗力を増加させて、少ない風量でもフィルタを回転させることができる。
【００１８】
また、請求項５記載の脱臭装置は、前記羽根は風上に向かって凹の形を有する。
【００１９】
これにより、吸込み口から吸込んだ風を凹部分で受けることが可能となるため、風の損失が少なく、安定して回転することができる。
【００２０】
以下本発明の実施の形態を図面を参照しながら説明する。
【００２１】
（実施の形態１）
図１に示すように、脱臭装置１は、上部に吸込口２と吹出口３を設けた箱体の本体４を備えている。本体４の内部には、上部空間５に配置して吸込口２から空気を吸込む送風機８と、下部空間６に配置した脱臭フィルタ７を備え、吸込口２から送風機８、脱臭フィルタ７、吹出口３へと連通する空気風路９が形成されている。脱臭フィルタ７は、本体４の最下部に配置した水槽１０へ一部を埋没させるように配置している。
【００２２】
送風機８は、遠心送風機であって、略扁平の羽根１１が鉛直方向に回転するようにし、本体の中央から一方の側面１２側に寄せて配置している。つまり、送風機８の吸入口１３が本体４の略中央部分に位置するようにしている。本体の他方の側面１４の中央部を含むように吸込口２を開口して設け、この吸込口２に送風機８の吸入口１３を対向させるようにして配置している。
【００２３】
また、送風機８の吐出口１５は、上方から下部空間６の一端（以下、下部空間の一端１６と呼ぶ）へ開口している。また、下部空間６の他端（以下、下部空間の他端１７と呼ぶ）は上方へ開口し、吸込口２と送風機８の吸入口１３の対向部分を避けるように背面または前面側を通って吹出口３と連通している。
【００２４】
さて、脱臭フィルタ７は、円筒形状であり、図２に示すフィルタ枠１８で回転可能に軸支して、鉛直方向に回転可能である。脱臭フィルタ７の下部は、図１に示すように水槽１０内に埋没させて貯留水１９と接触するように配置されている。
【００２５】
また、図２に示すように、脱臭フィルタ７は、鉛直に回転可能に配置したフィルタ濾材２０と、このフィルタ濾材２０を円筒形状の側面である外周部に維持するフィルタ枠１８を備え、中空円筒形状としたものである。なお、フィルタ濾材２０はフィルタ枠１８に券装して円筒形状としても良い。
【００２６】
フィルタ濾材２０は、水中から空気中に移動する際に水膜２１が形成される格子２２を持つ。図３に示すように、前記格子２２は、四角形で構成され、四角形の対角線２３が円軌道２４上を回るように配置する。なお、対角線２３が円軌道２４上を回るとは、脱臭フィルタ７が回転したときに格子２２の四角形の対向する頂点同じ円軌道２４上を通過することでもある。これにより、前記格子２２の最初に水面から離れる部分と最後に水面から離れる部分を前記四角形の頂点としたものである。このようにすることで、水膜に与える衝撃が少なく、安定して水膜を形成することができるからである。
【００２７】
フィルタ濾材２０は、格子２２部分に水膜２１を形成されるものであるので、加湿機のフィルタのように円筒体に水分を吸収するものではなく、水膜を形成できれば良く、極めて薄く（加湿フィルタは５ｍｍ〜１０ｍｍ程度であるが、脱臭フィルタは１ｍｍから２ｍｍである）かつ軽く形成したのである。フィルタ濾材２０の材質は、親水性である、または親水加工をしてあれば良く、セルロース等の紙や木質素材をコルゲート形状に加工したもの、絹・毛・綿・麻等の天然繊維、レーヨン・アセテート・トリアセテート等の合成繊維をコルゲート状にしたもの、吸水性のあるセラミックスハニカムなどを用いることができる。たとえば、合成繊維ではポリエステル、アクリル、ナイロン、ビニロン、レーヨン、ポリノジック、キュプラ、アセテート、トリアセテート、プロミックスなどが挙げられる。天然繊維としては、絹、毛、綿、麻などが挙げられる。ポリ酢酸ビニル、ポリビニルアルコールスポンジ、ナイロンマイクロファイバーなどを用いても良い。セルロース等の紙や木質素材、絹・毛・綿・麻等の天然繊維、レーヨン・アセテート・トリアセテート等の合成繊維、吸水性のあるセラミックスを用いても良い。
【００２８】
また、フィルタ枠１８は、図２に示すように前記円筒形状の中心に位置する回転軸２５と、前記回転軸２５から外周に向けて放射状に延設した複数枚の羽根１１を有している。羽根１１は、脱臭フィルタ７を水槽１０内に配置したときに貯留水１９に接触しない範囲に配置している。前記羽根１１と前記貯留水１９とが接触しないことにより、フィルタの回転時にかかる貯留水による抵抗が少なくなり、少ない抗力でフィルタを回すことが可能となるからである。
【００２９】
羽根１１の形状としては、風上に向かって凹の形を有すことが好ましい。図４のように、例えば、羽根１１を３枚備えて、回転軸２５の周りに円筒形の風車を形成するものである。前記空気風路９から流れた気流を損失少なく受けることができるからである。これにより、前記羽根１１は前記空気風路９を流れる気流を受けて前記脱臭フィルタ７をより滑らかに回転させることができるため、フィルタ枠１８を回転駆動するモーターが必要なくなり、モーター音がなくなることによる静音化や省電力化ができる。
【００３０】
以上のように、本実施の形態の基本構成について説明をした。以下、本実施の形態の最も特徴的な部分について説明を加える。
【００３１】
図５に示すように、空気風路９の一部である下部空間６において、脱臭フィルタ７の外周には、下部空間の一端１６側に配置した流入口２６、下部空間６内で上方から脱臭フィルタ７を覆う外周壁２７、下部空間の他端１７側に配置した流出口２８、水槽１０とが、この脱臭フィルタ７の回転方向（図５では白抜きの矢印で示すごとく反時計周りである）の順に設けられている。
【００３２】
流入口２６は、下部空間の一端１６側に配置しているので送風機８の吐出口１５から吹出した空気が脱臭フィルタ７へ流入する開口である。
【００３３】
外周壁２７は、下部空間の一端１６側から下部空間の他端１７側へ向けて、脱臭フィルタ７の外周をバイパスして空気が流れないように流出口２８と流入口２６を分離するものである。外周壁２７は、脱臭フィルタ７の略上部を覆うように設置されるとともに、脱臭フィルタ７を挟んで水槽１０と対向する位置に配置されている。これにより空気が脱臭フィルタ７を通過する範囲を脱臭フィルタ７の上部側に制限し、乱流を起こすことなく、前記吹出口３へと風を送ることができる。
【００３４】
また、流出口２８は、脱臭フィルタ７を通過した空気が吹出口３へ流出する開口であり、下部空間の他端１７側に位置する。
【００３５】
さらに、図５に示すように、外周壁２７は、一つの羽根１１が前記流入口２６に達した時に回転方向前側の羽根１１が前記外周壁２７の後端部（以下、外周壁の後端部２９と呼ぶ）に到達するように設けている。このとき前記回転方向前側の羽根１１は、外周壁２７の内側に位置していても良い。
【００３６】
そして、前記空気風路９の下部空間６には、空気流を流入口２６へ導く案内壁３０を設けている。すなわち、案内壁３０は、吐出口１５に対向する位置であって流入口２６の下辺（以下、流入口の下辺３１と呼ぶ）から対向する下部空間６の壁面へ向けて設置したものである。吐出口１５から下部空間６へ吹き込まれた空気の風路を略９０度水平方向へ変更し、前記脱臭フィルタ７へ導く案内板を形成するものである。これにより風路を脱臭フィルタ７の上部側に制限し、乱流を起こすことなく、前記羽根１１へと風を送ることができる。
【００３７】
また、案内壁３０と外周壁２７によって、脱臭フィルタ７上部側を風が通過することとなり、フィルタ上部において前記羽根１１に風を当てることができ、回転の抗力を増加させて、少ない風量でもフィルタを回転させることができる。
【００３８】
上記構成によれば、送風機８によって吸込口２から吸込まれた臭気成分を含んだ空気は、空気風路９内を流れて、下部空間６内に吹き出される。空気は、下部空間６では、案内壁３０によって、流入口２６へ導かれる。そして、脱臭フィルタ７の上部（回転軸のよりも上側）に流れ込み、羽根１１に吹き込まれ、脱臭フィルタ７は、吹き込まれた空気によって回転を維持することとなる。脱臭フィルタ７に吹き込まれた空気は、フィルタ濾材２０の格子２２に形成された水膜２１を通過することで脱臭が行なわれ、脱臭した空気が流出口２８から吹き出される。その後、流出口２８から吹き出された空気は、吹出口３から清浄された風となって放出される。
【００３９】
以上のように、格子２２に形成された水膜２１に臭気成分を含んだ空気が通過することで、臭気成分が水膜２１に溶け、モーター等の複雑な機構を設けなくても脱臭が行われる。
【００４０】
特に、本実施の形態では、外周壁２７は、一つの羽根１１が前記流入口２６に達した時に回転方向前側の羽根１１が前記外周壁２７の外周壁の後端部２９に到達するように設けるとともに、空気風路９の下部空間６には、空気流を流入口２６へ導く案内壁３０を設けている。これによって、図５のように外周壁２７と隣り合った二つの羽根１１と、案内壁３０によって、脱臭フィルタ７の略上部側で空気風路９が袋小路状になるタイミングが発生し、流入口２６から吹き込まれた空気は前側の羽根１１に衝突して脱臭フィルタ７の回転力を増強することができる。羽根１１が風上に向かって凹の形を有することで回転力を確実なものとすることができる。
【００４１】
（実施の形態２）
以上のように、実施の形態１では、案内壁３０と外周壁２７によって、脱臭フィルタ７上部を空気が通過、羽根に空気を当てることで脱臭フィルタ７の回転の抗力を得る形態について説明をした。
【００４２】
本実施の形態では、別の実施の形態について、説明をする。なお、理解を容易にするために実施の形態と同一の構成については同じ符号を付し、その詳細な説明は省略する。
【００４３】
本実施の形態では、図６に示すように、空気風路９の下部空間６において、脱臭フィルタ７の外周には、流入口２６、水槽１０、流出口２８、外周壁３２が、この脱臭フィルタ７の回転方向（図６では白抜きの矢印で示すごとく時計周りである）の順に設けられている。
【００４４】
前記流入口２６は、実施の形態１と同様に、下部空間の一端１６側に配置している。すなわち、送風機８の吐出口１５から吹出した空気を脱臭フィルタ７を形成する円筒体の回転軸よりも下方から前記脱臭フィルタ７へ流入させる開口である。
【００４５】
前記外周壁３２は下部空間の一端１６側から下部空間の他端１７側へ脱臭フィルタ７の外周を空気がバイパスして流れないように流出口２８と流入口２６を分離するものである。外周壁３２は前記脱臭フィルタ７の上部を覆うように設置されるとともに、脱臭フィルタ７を挟んで前記水槽１０と対向する位置に配置されている。
【００４６】
また、流出口２８は、脱臭フィルタ７を通過した空気が吹出口３へ流出する開口であり、下部空間の他端１７側に位置する。
【００４７】
さらに、図６に示すように、外周壁３２は、一つの羽根１１が流入口２６の下辺（以下流入口の下辺３１と呼ぶ）に達した時に回転方向後ろ側の羽根１１が外周壁３２の内側に位置するように設けている。
【００４８】
また、図７に示すように、外周壁３２は、一つの羽根１１が流出口２８の下辺（以下、流出口の下辺３５と呼ぶ）に達した時に回転方向後ろ側の羽根１１が外周壁３２の内側に位置するように設けている。
【００４９】
そして、空気風路９の下部空間６に流出口の下辺３５から上方へ空気流を導く案内壁３３が設けられている。案内壁３３は、下部空間の他端１７側に配置している。また、案内壁３３は、流出口の下辺３５から下部空間６の壁面へ向けて設置したものである。流出口２８から下部空間６へ吹き出された空気の風路を９０度上方に向けるように変更し、前記脱臭フィルタ７から上方へ空気を導く案内板を形成するものである。
【００５０】
前記外周壁３２は前記脱臭フィルタ７の上部から流入口２６の上辺（以下、流入口の上辺３６と呼ぶ）までを覆うように設置され、前記水槽１０と概ね対向する位置に配置されているので、空気が脱臭フィルタ７を通過する範囲を脱臭フィルタ７の下部側に限定し、乱流を起こすことなく、前記吹出口３へと風を送ることができる。
【００５１】
案内壁３３は水槽１０付近に設置され、風路を変更し、前記脱臭フィルタ７から放出した空気を上方へ導く案内板となっており、吹出口３へ空気を円滑に送ることができる。
【００５２】
これにより、水槽１０と外周壁３２によって、脱臭フィルタ７の下部側を空気が通過することとなり、脱臭フィルタ７の下部側において羽根１１に風を当てることができ、回転の抗力を増加させて、少ない風量でもフィルタを回転させることができる。
【００５３】
また、脱臭フィルタ７と水槽１０が近接し、水膜が形成された直後に空気が通るため、形成された水膜は通風以外の要因で割れることなく、水膜はすべて脱臭に使用できるため、脱臭性能が向上する。
【００５４】
また、脱臭フィルタ７と水槽１０が接しており、その直上を風が通り抜けるため、空気が脱臭フィルタ７を通過する際にバイパスが生じず、送風した風は漏らすことなくフィルタを通り抜けるため、脱臭性能が高まる。
【００５５】
上記構成によれば、吸込口２から吸込まれた臭気成分を含んだ空気が上部空間５から送風機８を通過し、吐出口１５から下部空間６に流入する。下部空間６に流入した脱臭成分を含んだ空気は、空気風路９を進み、外周壁２７により下方へ誘導される。そして、流入口２６から脱臭フィルタ７の下部（回転軸のよりも下側）に流れ込み、羽根１１に吹き込まれる。脱臭フィルタ７は、吹き込まれた空気によって回転を維持することとなる。脱臭フィルタ７に吹き込まれた空気は、フィルタ濾材２０の格子２２に形成された水膜２１を通過することで脱臭が行なわれ、脱臭した空気が流出口２８から吹き出される。その後、流出口２８から吹き出された空気は、案内壁３３によって上方へ向きを換えられ吹出口３から清浄された風となって放出される。
【００５６】
この際、一つの羽根１１が流入口の下辺３１に達した時に回転方向後ろ側の羽根が外周壁３２の内側にあるので、空気が確実に羽根１１にあたり抗力となるので、風の抗力のみで脱臭フィルタ７を回転させることができる。すなわち、図６のように外周壁２７は、一つの羽根１１が流入口の下辺３１に達した時に回転方向後ろ側の羽根１１が外周壁２７の内側に位置するように設けたので、二つの羽根１１と外周壁３２で空気風路９が袋小路状になるタイミングが発生し、脱臭フィルタ７の回転力を増強することができる。羽根１１が風上に向かって凹の形を有することで回転力を確実なものとすることができる。
【００５７】
また同様に、一つの羽根１１が流出口の下辺３５に達した時に回転方向後ろ側の羽根が外周壁３２の内側にあるので、空気が確実に羽根１１にあたり抗力となるので、風の抗力のみでフィルタを回転させることができる。すなわち、図７のように外周壁３２は、一つの羽根１１が流出口の下辺３５に達した時に回転方向後ろ側の羽根１１が外周壁３２の内側に位置するように設けたので、二つの羽根１１と外周壁３２で空気風路９が袋小路状になるタイミングが発生し、脱臭フィルタ７の回転力を増強することができる。
【００５８】
これにより、形成された水膜２１に臭気成分を含んだ空気が通過することで、臭気成分が水膜２１に溶け、複雑な機構を設けなくても脱臭が行われる。
【産業上の利用可能性】
【００５９】
以上のように本発明は、脱臭フィルタは、水膜が形成されるフィルタ濾材と、前記フィルタ濾材を外周において円筒形状に維持するフィルタ枠を有し、前記フィルタ枠は、前記円筒形状の中心に位置する回転軸と、前記回転軸から外周に向けて前記貯留水とは接触しない範囲で放射状に延設した複数枚の羽根を有し、前記羽根は前記空気風路を流れる気流を受けて前記脱臭フィルタを回転するため、フィルタ枠を回転駆動するモーターが必要なくなり、モーター音がなくなることによる静音化や省電力化ができる。これにより、複雑な機構がなくとも脱臭を行うことができる。したがって、脱臭装置として活用される。
【符号の説明】
【００６０】
１  脱臭装置
２  吸込口
３  吹出口
４  本体
５  上部空間
６  下部空間
７  脱臭フィルタ
８  送風機
９  空気風路
１０  水槽
１１  羽根
１２  一方の側面
１３  吸入口
１４  他方の側面
１５  吐出口
１６  下部空間の一端
１７  下部空間の他端
１８  フィルタ枠
１９  貯留水
２０  フィルタ濾材
２１  水膜
２２  格子
２３  対角線
２４  円軌道
２５  回転軸
２６  流入口
２７  外周壁
２８  流出口
２９  外周壁の後端部
３０  案内壁
３１  流入口の下辺
３２  外周壁
３３  案内壁
３４  流出口の上辺
３５  流出口の下辺
３６  流入口の上辺
【図１】
2016063888.tif 000003
【図２】
2016063888.tif 000004
【図３】
2016063888.tif 000005
【図４】
2016063888.tif 000006
【図５】
2016063888.tif 000007
【図６】
2016063888.tif 000008
【図７】
2016063888.tif 000009